(57)【要約】【課題】  人的作業を介さずに大量のマイクロフィルムに収められたアナログデータをデジタルデータに変換してデータベースに登録することが可能なマイクロフィルム用データ変換システムを提供する。【解決手段】  撮影マイクロフィルムの写真画像を撮影するための撮影手段と、マイクロフィルムを載置するための撮影台と、供給部に供給されているマイクロフィルムを撮影台に搬送すると共に撮影済みのマイクロフィルムを収納部に搬送する搬送手段と、を備えるマイクロフィルム用データ変換システムについて、撮影手段は、写真画像を高分解能で撮像する高分解能カメラを有し、撮影された高分解の写真画像データを実質的に拡大して格納するための記憶部と、記憶された写真画像データを文字認識してテキストデータを生成する文字認識部と、テキストデータを格納するためのデータベースと、を含む。【選択図】    図１
2009130514.tif 000002
【特許請求の範囲】
【請求項１】
撮影マイクロフィルムの写真画像を撮影するための撮影手段と、前記マイクロフィルムを載置するための撮影台と、供給部に供給されているマイクロフィルムを前記撮影台に搬送すると共に撮影済みのマイクロフィルムを収納部に搬送する搬送手段と、を備えるマイクロフィルム用データ変換システムについて、
前記撮影手段は、前記写真画像を高分解能で撮像する高分解能カメラを有し、
撮影された高分解の写真画像データを実質的に拡大して格納するための記憶部と、
記憶された写真画像データを文字認識してテキストデータを生成する文字認識部と、
前記テキストデータを格納するためのデータベースと、を含むことを特徴とするマイクロフィルム用データ変換システム。
【請求項２】
前記撮影手段は、マイクロフィルムの識別情報を撮影するための他のカメラを有することを特徴とする請求項１に記載のマイクロフィルム用データ変換システム。
【請求項３】
前記文字認識部は、前記写真画像に含まれる多種のフォントから成る文字情報を文字認識するためのファジィ推定機能を有することを特徴とする請求項１に記載のマイクロフィルム用データ変換システム。
【発明の詳細な説明】
【技術分野】
【０００１】
本発明は、マイクロフィルムに収められたアナログデータをデジタルデータに変換するマイクロフィルム用データ変換システムに関する。
【０００２】
従来、この種のマイクロフィルム用データ変換システムとして、マイクロフィルムに収められた縮小サイズの書類の写真画像（アナログデータ）をスキャナで読み取り生成した画像データ（デジタルデータ）をＰＣ（Ｐｅｒｓｏｎａｌ  Ｃｏｍｐｕｔｅｒ）等の上位装置の表示部に表示させ、オペレータの該装置の操作により該表示部に表示された画像データをＡ４等の指定サイズに拡大し、拡大した画像データに対し該装置に予め設定された文字認識機能を用いて拡大した画像データに含まれる文字情報を文字認識してテキストデータ（デジタルデータ）を生成し、生成したテキストデータに、オペレータが該装置の操作部を介した手入力したマイクロフィルムの識別情報及び写真画像の順番を示すデータ番号を対応させてデータベースに登録するマイクロフィルム用データ変換システムが提案されている。
【発明の開示】
【発明が解決しようとする課題】
【０００３】
しかしながら、上記データ変換作業は、人的作業を要するため処理に時間がかかり、大量のマイクロフィルムの処理には不向きであるという問題があった。
【０００４】
以上の問題点に鑑み、本発明の目的は、人的作業を介さずに大量のマイクロフィルムに収められたアナログデータをデジタルデータに変換してデータベースに登録することが可能なマイクロフィルム用データ変換システムを提供することにある。
【課題を解決するための手段】
【０００５】
本発明は、以上の点を解決するために、次の構成を採用する。
本発明のマイクロフィルム用データ変換システムは、撮影マイクロフィルムの写真画像を撮影するための撮影手段と、マイクロフィルムを載置するための撮影台と、供給部に供給されているマイクロフィルムを撮影台に搬送すると共に撮影済みのマイクロフィルムを収納部に搬送する搬送手段と、を備えるマイクロフィルム用データ変換システムについて、撮影手段は、写真画像を高分解能で撮像する高分解能カメラを有し、撮影された高分解の写真画像データを実質的に拡大して格納するための記憶部と、記憶された写真画像データを文字認識してテキストデータを生成する文字認識部と、テキストデータを格納するためのデータベースと、を含むことを特徴とする。
【発明の効果】
【０００６】
本発明によれば、マイクロフィルムに収められた縮小サイズの写真画像を高分解能カメラで撮影して各写真画像データを生成し、この写真画像データに対し文字認識処理を行ってテキストデータを生成し、テキストデータに、識別情報を対応付けてデータベースに登録する。
【０００７】
以下、本発明の実施形態について図面を用いて詳細に説明する。
【実施例】
【０００８】
＜実施例の構成＞
本発明の実施例のマイクロフィルム用データ変換システム１０００は、図１に示すように、マイクロフィルム処理装置１００と、該マイクロフィルム処理装置１００とネットワーク３００を介して接続されているホスト装置２００とで構成されている。ここで、本発明のマイクロフィルム用データ変換システム１０００は、例えば保険会社の顧客毎の書類の写真データが収められている大量のマイクロフィルムのデジタルデータ化の処理に用いられる。
【０００９】
マイクロフィルム処理装置１００は、図１に示すように、ネットワーク３００に接続されている通信部１０１と、装置全体を制御する制御部１０２と、一時記憶部１０３と、ユーザからの各種指示を受け付けるための操作部１０４と、搬送部１０５と、撮影部１０６と、装置を制御するための各種プログラムを格納するＲＯＭ（Ｒｅａｄ  Ｏｎｌｙ  Ｍｏｍｏｒｙ）１０７と、文字認識部１０８と、エラーデータ生成部１０９と、変換データ生成部１１０と、不揮発性記憶部１１１とを備える。
【００１０】
そして、マイクロフィルム処理装置１００は、図２に示すように、未処理のマイクロフィルムを設置するための供給部１１２と、撮影部１０６に備える後述する撮像カメラ１０６１及び高分解能カメラ１０６２でマイクロフィルムを撮影するために該マイクロフィルム１を配置するためのテーブル１１３と、処理が終了したマイクロフィルム１を収納するための収納部１１４とを備える。
【００１１】
マイクロフィルム１（ＣＯＭ：Ｃｏｍｐｕｔｅｒ  ｏｕｔｐｕｔ  Ｍｉｃｒｏｆｉｌｍを含む）には、図３に示すように、実際のサイズに対して１／５０倍程度に縮小されている書類の写真データ２（マイクロフィッシュ型フィルムを含む）が収められており、各写真データ２は、書類の順序に基づいて並べられている。この、マイクロフィルム１内の写真データ２の並び順は、全てのマイクロフィルムに共通であるものとする。また、マイクロフィルム１の識別情報３の記載位置は、全てのマイクロフィルムに共通であるものとする。
【００１２】
ユーザが供給部１１２に未処理のマイクロフィルム１を配置し、操作部１０４を操作してマイクロフィルム１のデータ変換処理を指示すると、制御部１０２は、搬送部１０５にマイクロフィルム１のテーブル１１３への搬送を指示する。
【００１３】
搬送部１０５は、図２に示すように、マイクロフィルム１を供給部１１２からテーブル１１３に、テーブル１１３から収納部１１４に搬送する部であり、マイクロフィルム１をピックアップ可能な図示しないアームを有する構成になっている。そして、搬送部１０５は、マイクロフィルム１のテーブル１１３への搬送の指示を受けると、上記アームを用いて供給部１１２に設置されているマイクロフィルム１をピックアップしてテーブル１１３に搬送する。
【００１４】
また、搬送部１０５は、撮影終了後に後述するマイクロフィルム１の収納部１１４への搬送の指示を受けると、上記アームを用いてテーブル１１３に配置されたマイクロフィルム１をピックアップして収納部１１４に搬送する。これにより、マイクロフィルム用データ変換システム１０００における１枚のマイクロフィルム１に対する処理を終了する。
【００１５】
マイクロフィルム１がテーブル１１３に設置されると、制御部１０２は、図示しないセンサを介してマイクロフィルム１の設置を検知するので、撮影部１０６にマイクロフィルム１の識別情報３の撮影を指示する。
【００１６】
撮影部１０６は、マイクロフィルム１の識別情報３を撮影するための撮像カメラ１０６１と、マイクロフィルムに収められた全ての写真データ２を撮影するための高分解能カメラ１０６２とを有し、かつズーム倍率を調整する機能を有する。テーブル１１３は、マイクロフィルムの撮影対象部分をカメラの撮影位置に合わせるために、ｘ−ｙ方向に移動する。
【００１７】
即ち、撮影部１０６は、マイクロフィルムの識別情報３の撮影の指示を受けると、撮像カメラ１０６１をマイクロフィルム１の識別情報３を撮影可能な所定ズーム倍率に調整し、該撮像カメラ１０６１を用いてマイクロフィルム１の識別情報３を撮影する。
【００１８】
一方、撮影部１０６は、写真データ２の撮影の指示を受けると、高分解能カメラ１０６２をマイクロフィルム１に含まれる各写真データ２を撮影可能なズーム倍率に調整し、該高分解能カメラ１０６２を用いてマイクロフィルム１に含まれる全写真データ２を撮影する。この高分解能カメラ１０６２は、マイクロフィルム１に収められている全ての写真データを撮影する場合、テーブル１１３の移動に同期させて動作する。
【００１９】
高分解能カメラ１０６２は、例えば一次元７４５０画素白黒カメラ（画素サイズ：４．７μｍ、センサ長さ：３５ｍｍ、スキャンレート：６．４ＫＨｚ）である。この高分解能カメラ１０６２において、例えばＡ４サイズの画像データの分解能を３００ｄｐｉとするには、レンズ倍率：１／２．７にして視野：１３ｍｍを確保する必要がある。ここで、テーブル１１３は、マイクロフィルム１の撮影対象部分に高分解能カメラ１０６２を合わせるために、図示しないモータを用いて搬送速度１１．２ｍｍ／ｓでｘ−ｙ方向に移動する。
【００２０】
また、高分解能カメラ１０６２として、例えば二次元１６００万画素カメラ（画素サイズ：７．４μｍ、画素数：４８７２×３２４８、視野：３６ｍｍ×２４ｍｍ）を用いると、この高分解能カメラ１０６２において、例えばＡ４サイズの画像データの分解能を３００ｄｐｉとするには、２７０回の分割撮像（カメラ分解能：１．７６μｍ、視野：８．５ｍｍ×５．７ｍを確保）が必要である。
【００２１】
撮影部１０６が撮像カメラ１０６１を用いてマイクロフィルム１の識別情報３を撮影し、画像データを生成すると、制御部１０２は、生成した画像データを一時記憶部１０３に記憶する。そして、制御部１０２は、画像データを記憶すると、文字認識部１０８を動作制御する。
【００２２】
一方、撮影部１０６が高分解能カメラ１０６２を用いてマイクロフィルム１の全ての写真データ２を撮影し、全写真画像データを生成すると、制御部１０２は、生成した全写真画像データを一時記憶部１０３に記憶する。そして、制御部１０２は、全写真画像データを記憶すると、文字認識部１０８を動作制御する。
【００２３】
文字認識部１０８は、画像データに含まれる識別情報３及び後述する写真画像データに含まれる文字情報を文字認識する機能を有する。即ち、この文字認識部１０８では、一時記憶部１０３上で各画像データに含まれる文字領域を画素値（明度）に基づいて認識し、該文字領域内の各文字を切り出し、切り出した文字データを一文字毎に色々な種類のフォント文字情報の認識処理に対応すべくファジィ理論を適用した文字認識処理等の複数種類のＯＣＲ処理を実施し、結果をまとめてその文字認識結果とする処理を行うものとする。
【００２４】
また、文字認識部１０８は、全写真画像データに含まれる各文字領域（写真画像データ）の文字認識を行う毎に、該認識回数をカウントするカウント機能を有する。文字認識部１０８は、１枚のマイクロフィルム１毎に文字認識終了信号を出力すると、カウント値を０に初期化する。
【００２５】
即ち、文字認識部１０８は、上記画像データに含まれる識別情報３を文字認識して識別テキストデータを生成する。生成した識別テキストデータは、制御部１０２の制御により、一時記憶部１０３に記憶される。制御部１０２は、識別テキストデータを記憶すると、撮影部１０６に写真データ２の撮影を指示する。
【００２６】
一方、この文字認識部１０８は、画像補正機能を備え、文字認識が不可であった写真画像データを反転し、又は逆転し、再び文字認識を行い、画像補正を行っても文字認識が不可であると、文字認識不可と判定する。
【００２７】
また、文字認識部１０８は、文字認識不可の判定をすると、エラーデータ生成部１０９にエラーデータの生成を指示すると共に、写真画像データのデータ番号に該当する上記カウント値を供給する。
【００２８】
エラーデータ生成部１０９は、エラーデータの生成の指示と共に、文字認識不可であった写真画像データのデータ番号を受けると、一時記憶部１０３で保持する識別テキストデータと、該データ番号とを対応付けたエラーデータを生成し、該エラーデータを不揮発性記憶部１１１に記憶する。そして、エラーデータ生成部１０９は、エラーデータを記憶すると、エラーデータ登録済信号を出力する。このエラーデータは、管理者によるマイクロフィルム処理装置１００の操作部１０４を介した操作により、装置の図示しないディスプレイに例えばリスト表示され、該管理者により対応処理されるものとする。
【００２９】
ところで、高分解能カメラ１０６２で撮像された各写真画像データは、高分解されたドットデータから成るため、例えばＡ４等の指定サイズのメモリ領域に実質的に拡大されて記憶される。この画像拡大処理については、従来、画像データを拡大する場合、画像データのドット数を増やして指定サイズの画像データに拡大しているが、本発明においては、高分解能カメラ１０６２を用いて高分解されたドットの写真画像データを生成しているので、該写真画像データの各ドットのサイズを拡大するだけで、拡大写真画像データを取得することができる。
【００３０】
文字認識部１０８が写真画像データに含まれる文字情報を文字認識してテキストデータを生成すると、制御部１０２は、生成したテキストデータを一時記憶部１０３に記憶する。そして、制御部１０２は、テキストデータを記憶すると、変換データ生成部１１０に変換データの生成を指示する。
【００３１】
変換データ生成部１１０は、変換データ生成の指示を受けると、一時記憶部１０３で保持する識別テキストデータ（マイクロフィルム名）と、文字認識部１０８が付したカウント値（データ番号）と、写真データ２のテキストデータとを対応付けた変換データを生成し、生成した変換データをホスト装置２００に送信する。
【００３２】
制御部１０２は、文字認識部１０８から１枚のマイクロフィルム１に対する文字認識終了信号を受けると、搬送部１０５にマイクロフィルム１の収納部１１４への搬送を指示する。
【００３３】
ホスト装置２００は、上記マイクロフィルム１の変換データを管理するための装置であり、図１に示すように、ネットワーク３００と接続する通信部２０１と、装置全体を制御する制御部２０２と、一時記憶部２０３と、変換データ管理部２０４と、変換データＤＢ（データベース）２０５とを備える。
【００３４】
制御部２０２は、通信部２０１を介して変換データを受けると、該変換データを一時記憶部２０３に記憶する。そして、制御部２０２は、変換データ管理部２０４に変換データの新規登録を指示する。
【００３５】
変換データ管理部２０４は、変換データＤＢ２０５を管理する部であり、変換データの新規登録の指示を受けると、一時記憶部２０３で保持する変換データ（マイクロフィルム名、データ番号、テキストデータ）を変換データＤＢ２０５に新規登録する。図４に変換データＤＢ２０５の構成の一例を示す。
【００３６】
変換データ管理部２０４が変換データを新規登録すると、制御部２０２は、変換データ登録済信号を生成し、該信号をマイクロフィルム処理装置１００に送信する。
【００３７】
＜実施例１の動作＞
以下、本発明に係る実施例のマイクロフィルム用データ変換システム１０００の動作について図５及び図６のフローチャートを用いて説明する。本実施例では、高分解能カメラ１０６２として、一次元７４５０画素白黒カメラ（画素サイズ：４．７μｍ、センサ長さ：３５ｍｍ、スキャンレート：６．４ＫＨｚ）を用いる。ここで、上記高分解能カメラ１０６２では、Ａ４サイズの画像データの分解能を３００ｄｐｉとするには、レンズ倍率：１／２．７にして視野：１３ｍｍを確保する必要がある。
【００３８】
ユーザが供給部１１２に未処理のマイクロフィルム１を設置し、操作部１０４を操作してマイクロフィルム１のデータ変換処理を指示すると（ステップＳ１０１）、制御部１０２は、搬送部１０５にマイクロフィルム１のテーブル１１３への搬送を指示する。
【００３９】
搬送部１０５は、マイクロフィルム１のテーブル１１３への搬送の指示を受けると、図示しないアームを用いて供給部１１２に設置されているマイクロフィルム１をピックアップしてテーブル１１３に搬送する（ステップＳ１０２）。
【００４０】
マイクロフィルム１がテーブル１１３に設置されると、制御部１０２は、図示しないセンサを介してマイクロフィルム１の設置を検知するので、撮影部１０６にマイクロフィルム１の識別情報３の撮影を指示する。
【００４１】
撮影部１０６は、マイクロフィルムの識別情報３の撮影の指示を受けると、撮像カメラ１０６１をマイクロフィルム１の識別情報３を撮影可能な所定ズーム倍率に調整し、該撮像カメラ１０６１を用いてマイクロフィルム１の識別情報３を撮影する。このとき、テーブル１１３は、マイクロフィルムの撮影対象部分を撮影位置に合わせるために、ｘ−ｙ方向に移動する。
【００４２】
撮影部１０６が撮像カメラ１０６１を用いてマイクロフィルム１の識別情報３を撮影し、画像データを生成すると（ステップＳ１０３）、制御部１０２は、生成した画像データを一時記憶部１０３に記憶する。そして、制御部１０２は、画像データを記憶すると、文字認識部１０８を動作制御する。
【００４３】
文字認識部１０８は、識別情報３の文字認識の指示を受けると、上記画像データに含まれる識別情報３を文字認識して識別テキストデータを生成する（ステップＳ１０４）。生成した識別テキストデータは、制御部１０２の制御により、一時記憶部１０３に記憶される。制御部１０２は、識別テキストデータを記憶すると、撮影部１０６に写真データ２の撮影を指示する。
【００４４】
撮影部１０６は、写真データ２の撮影の指示を受けると、高分解能カメラ１０６２をマイクロフィルム１に含まれる各写真データ２を撮影可能なズーム倍率に調整し、該高分解能カメラ１０６２を用いてマイクロフィルム１に含まれる全写真データ２を撮影する。この撮影部１０６は、マイクロフィルム１に収められている全ての写真データを撮影する場合、テーブル１１３の移動に同期させて動作する。
【００４５】
撮影部１０６が高分解能カメラ１０６２を用いてマイクロフィルム１の全ての写真データ２を撮影し、全写真画像データを生成すると（ステップＳ１０５）、制御部１０２は、生成した全写真画像データを一時記憶部１０３に記憶する。そして、制御部１０２は、全写真画像データを記憶すると、文字認識部１０８を動作制御する。
【００４６】
文字認識部１０８は、写真データ２に含まれる文字情報の文字認識の指示を受けると、文字認識回数＝１をカウントし（ステップＳ１０６）、上記全写真画像データに含まれる文字領域（写真画像データ）を抽出し、該写真画像データに含まれる文字情報の文字認識が可能であると（ステップＳ１０７）、テキストデータを生成する（ステップＳ１０８）。生成したテキストデータは、制御部１０２の制御により一時記憶部１０３に記憶する。そして、制御部１０２は、テキストデータを記憶すると、変換データ生成部１１０に変換データの生成を指示する。
【００４７】
一方、文字認識部１０８は、写真画像データに含まれる文字情報の文字認識が不可であると、該写真画像データを反転し、又は逆転し、再び文字認識を行い、画像補正を行って文字認識が可能であると、テキストデータを生成する。
【００４８】
また、文字認識部１０８は、上記画像補正を行っても文字認識が不可であると、文字認識不可と判定する（ステップＳ１０９）。
【００４９】
文字認識部１０８は、文字認識不可の判定をすると、エラーデータ生成部１０９にエラーデータの生成を指示すると共に、写真画像データのデータ番号に該当する上記カウント値＝１を供給する。
【００５０】
エラーデータ生成部１０９は、エラーデータの生成の指示と共に、文字認識不可であった写真画像データのデータ番号を受けると、一時記憶部１０３で保持する識別テキストデータと、該データ番号とを対応付けたエラーデータを生成し（ステップＳ１１０）、該エラーデータを不揮発性記憶部１１１に記憶する（ステップＳ１１１）。そして、エラーデータ生成部１０９は、エラーデータを記憶すると、エラーデータ登録済信号を出力する。このエラーデータは、管理者によるマイクロフィルム処理装置１００の操作部１０４を介した操作により、装置の図示しないディスプレイに例えばリスト表示され、該管理者により対応処理される。
【００５１】
変換データ生成部１１０は、変換データ生成の指示を受けると、一時記憶部１０３で保持する識別テキストデータ（マイクロフィルム名）と、文字認識部１０８が有するカウント値（データ番号）と、テキストデータ（ｔｘｔファイル）とを対応付けた変換データを生成し（ステップＳ１１２）、生成した変換データを通信部１０１を介してホスト装置２００に送信する（ステップＳ１１３）。
【００５２】
ホスト装置２００の制御部２０２は、通信部２０１を介して変換データを受けると、該変換データを一時記憶部２０３に記憶する。そして、制御部２０２は、変換データ管理部２０４に変換データの新規登録を指示する。
【００５３】
変換データ管理部２０４は、変換データＤＢ２０５を管理する部であり、変換データの新規登録の指示を受けると、一時記憶部２０３で保持する変換データ（マイクロフィルム名、データ番号、テキストデータ）を変換データＤＢ２０５に新規登録する（ステップＳ１１４）。
【００５４】
変換データ管理部２０４が変換データを新規登録すると、制御部２０２は、変換データ登録済信号を生成し、該信号を通信部２０１を介してマイクロフィルム処理装置１００に送信する。
【００５５】
マイクロフィルム処理装置１００の制御部１０２は、通信部１０１を介して上記変換データ登録済信号を受けると、文字認識部１０８を動作制御する。
【００５６】
文字認識部１０８は、全写真画像データに含まれる全ての文字領域（写真画像データ）の文字認識を終了すると（ステップＳ１１５）、文字認識終了信号を出力し、カウント値を０に初期化する（ステップＳ１１６）。
【００５７】
一方、文字認識部１０８は、全写真画像データに含まれる全ての文字領域（写真画像データ）の文字認識を終了していない場合には、次の写真画像データの文字認識を行う。
【００５８】
制御部１０２は、文字認識部１０８から１枚のマイクロフィルム１に対する文字認識終了信号を受けると、搬送部１０５にマイクロフィルム１の収納部１１４への搬送を指示する。
【００５９】
搬送部１０５は、マイクロフィルム１の収納部１１４への搬送の指示を受けると、図示しないアームを用いてテーブル１１３に配置されたマイクロフィルム１をピックアップして収納部１１４に搬送する（ステップＳ１１７）。これにより、マイクロフィルム用データ変換システム１０００における１枚のマイクロフィルム１に対する処理を終了する。
【００６０】
＜実施例の効果＞
本発明の実施例のマイクロフィルム用データ変換システム１０００によれば、マイクロフィルム処理装置１００及びホスト装置２００とをネットワークで接続し、供給部１１２に設置されたマイクロフィルム１を搬送部１０５によりテーブル１１３に自動搬送し、該テーブル１１３に設置されたマイクロフィルム１を撮影部１０６に備える撮像カメラ１０６１でマイクロフィルム１の識別情報３を撮影して画像データを生成し、生成した画像データを文字認識して識別テキストデータ（マイクロフィルム名）を取得し、高分解能カメラ１０６２で該マイクロフィルム１に収められた全写真データ２を撮影して全写真画像データを生成し、この全写真画像データに含まれる各文字領域（写真画像データ）の文字情報を文字認識してテキストデータを生成し、これらマイクロフィルム名と、文字認識順を示すデータ番号と、テキストデータとを変換データとしてホスト装置２００の変換データＤＢ２０５に登録し、マイクロフィルム１に収められた全ての写真データに含まれる文字情報の文字認識が終了すると、搬送部１０５を用いてテーブル１１３に配置されたマイクロフィルム１を収納部１１４に搬送するようにしたので、人的作業を介さずにマイクロフィルム１に収められた写真データをデジタルデータに変換することができる。
【００６１】
尚、本実施例のマイクロフィルム処理装置１００では、テーブル１１３を１台、撮影部１０６に撮像カメラ１０６１及び高分解能カメラ１０６２各１台を１組備える構成にしたが、平行して複数のマイクロフィルム１を処理可能にするために、複数台のテーブル１１３と、該テーブル１１３と同数組の撮像カメラ１０６１及び高分解能カメラ１０６２を撮影部１０６に備える構成にしてもよい。上記構成により、マイクロフィルム処理装置１００におけるマイクロフィルム変換処理能力を向上することができる。
【００６２】
また、本実施例のマイクロフィルム用データ変換システム１０００では、マイクロフィルム処理装置１００において識別テキストデータ（マイクロフィルム名）と、文字認識部１０８が付したカウント値（データ番号）と、写真データ２のテキストデータとを対応付けた変換データをホスト装置２００の変換データＤＢ２０５で格納する構成にしたが、図１に示すように、マイクロフィルム１に含まれる写真データ２を撮影して取得した各写真画像データもホスト装置２００の画像データＤＢ（データベース）２０５Ａに格納する構成にしてもよい。
【００６３】
更に、上記画像データＤＢ２０５Ａに格納する画像データとして、上記各写真画像データではなく、撮影部１０６の撮像カメラ１０６１にマイクロフィルム１の全体像を撮影させ、撮影により取得した全体像画像データを格納する構成にしてもよい。
【図面の簡単な説明】
【００６４】
【図１】本発明に係る実施例のマイクロフィルム用データ変換システムの構成を示すブロック図である。
【図２】本発明に係る実施例のマイクロフィルム処理装置の概略図である。
【図３】本発明に係る実施例のマイクロフィルムの概略図である。
【図４】本発明に係る実施例の変換データＤＢの構成の一例を示す図である。
【図５】本発明に係る実施例のマイクロフィルム用変換システムの動作を示すフローチャート（その１）である。
【図６】本発明に係る実施例のマイクロフィルム用変換システムの動作を示すフローチャート（その２）である。
【符号の説明】
【００６５】
１０００    マイクロフィルム用データ変換システム
１００    マイクロフィルム処理装置
１０１    通信部
１０２    制御部
１０３    一時記憶部
１０４    操作部
１０５    搬送部
１０６    撮影部
１０７    ＲＯＭ
１０８    文字認識部
１０９    エラーデータ生成部
１１０    変換データ生成部
１１１    不揮発性記憶部
１１２    供給部
１１３    テーブル
１１４    収納部
２００    ホスト装置
２０１    通信部
２０２    制御部
２０３    一時記憶部
２０４    変換データ管理部
２０５    変換データＤＢ
【図１】
2009130514.tif 000003
【図２】
2009130514.tif 000004
【図３】
2009130514.tif 000005
【図４】
2009130514.tif 000006
【図５】
2009130514.tif 000007
【図６】
2009130514.tif 000008